(57)【要約】  本開示の一態様に係るユーザ端末は、複数のサブバンドの一部である少なくとも１つの特定サブバンドに対するＣＳＩ報告を送信する送信部と、前記特定サブバンドを示す設定情報の受信と、前記特定サブバンドを示す報告情報の送信と、の少なくとも１つを行う制御部と、を有する。本開示の一態様によれば、サブバンドに対するＣＳＩ報告を適切に行うことができる。
2020012620.tif 000002
【特許請求の範囲】
【請求項１】
複数のサブバンドの一部である少なくとも１つの特定サブバンドに対するＣＳＩ報告を送信する送信部と、
前記特定サブバンドを示す設定情報の受信と、前記特定サブバンドを示す報告情報の送信と、の少なくとも１つを行う制御部と、を有することを特徴とするユーザ端末。
【請求項２】
前記設定情報は、前記特定サブバンドの複数のパターンの１つを示す識別情報と、前記特定サブバンドの量と、前記複数のサブバンドのそれぞれが前記特定サブバンドに含まれるか否かと、の少なくとも１つを示すことを特徴とする請求項１に記載のユーザ端末。
【請求項３】
前記ＣＳＩ報告は、前記報告情報を含むことを特徴とする請求項１に記載のユーザ端末。
【請求項４】
前記報告情報は、前記特定サブバンドのパターンを示す識別情報と、前記特定サブバンドの量と、前記複数のサブバンドのそれぞれが前記特定サブバンドに含まれるか否かと、の少なくとも１つを示すことを特徴とする請求項３に記載のユーザ端末。
【請求項５】
前記設定情報は、前記特定サブバンドの少なくとも１つの候補を示す候補識別情報を含み、
前記制御部は、前記候補識別情報に示された前記少なくとも１つの候補から、前記特定サブバンドを決定し、
前記報告情報は、前記特定サブバンドのパターンを示す識別情報を含むことを特徴とする請求項３に記載のユーザ端末。
【請求項６】
複数のサブバンドの一部である少なくとも１つの特定サブバンドに対するＣＳＩ報告を受信する受信部と、
前記特定サブバンドを示す設定情報の送信と、前記特定サブバンドを示す報告情報の受信と、の少なくとも１つを行う制御部と、を有することを特徴とする基地局。
【発明の詳細な説明】
【技術分野】
【０００１】
本開示は、次世代移動通信システムにおけるユーザ端末及び基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、ユーザ端末（ＵＥ：User  Equipment）が基地局に対して、周期的及び／又は非周期的にチャネル状態情報（ＣＳＩ：Channel  State  Information）を送信する。ＵＥは、上りリンク制御チャネル（ＰＵＣＣＨ：Physical  Uplink  Control  Channel）及び／又は上りリンク共有チャネル（ＰＵＳＣＨ：Physical  Uplink  Shared  Channel）を用いて、ＣＳＩを送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、複数のサブバンドに対するＣＳＩ報告が検討されている。【０００７】
しかしながら、複数のサブバンドに対するＣＳＩ報告の設定と、そのＣＳＩ報告が適切に行われなければ、オーバーヘッドが増大し、システム性能の低下が生じるおそれがある。【０００８】
そこで、本開示は、サブバンドに対するＣＳＩ報告を適切に行うことができるユーザ端末及び基地局を提供することを目的の１つとする。
【課題を解決するための手段】
【０００９】
本開示の一態様に係るユーザ端末は、複数のサブバンドの一部である少なくとも１つの特定サブバンドに対するＣＳＩ報告を送信する送信部と、前記特定サブバンドを示す設定情報の受信と、前記特定サブバンドを示す報告情報の送信と、の少なくとも１つを行う制御部と、を有することを特徴とする。
【発明の効果】
【００１０】
本開示の一態様によれば、サブバンドに対するＣＳＩ報告を適切に行うことができる。
【図面の簡単な説明】
【００１１】
【図１】タイプ２−ＣＳＩフィードバックのオーバーヘッドの一例を示す図である。
【図２】図２Ａ及び図２Ｂは、実施形態に係る部分サブバンドＣＳＩ報告の一例を示す図である。
【図３】図３Ａ及び図３Ｂは、態様１−１−１に係る部分サブバンドＣＳＩ報告の一例を示す図である。
【図４】図４Ａ及び図４Ｂは、態様１−１−２に係る部分サブバンドＣＳＩ報告の一例を示す図である。
【図５】図５Ａ及び図５Ｂは、態様１−１−３に係る部分サブバンドＣＳＩ報告の一例を示す図である。
【図６】図６Ａ及び図６Ｂは、態様１−２−１に係る部分サブバンドＣＳＩ報告の一例を示す図である。
【図７】図７Ａ及び図７Ｂは、態様１−２−２に係る部分サブバンドＣＳＩ報告の一例を示す図である。
【図８】図８Ａ及び図８Ｂは、態様１−３に係る部分サブバンドＣＳＩ報告の一例を示す図である。
【図９】図９は、１つのＣＳＩ報告パケット内の複数のＣＳＩパラメータの一例を示す図である。
【図１０】図１０は、２つのＣＳＩ報告パケット内の複数のＣＳＩパラメータの一例を示す図である。
【図１１】図１１は、一実施形態に係る無線通信システムの概略構成の一例を示す図である。
【図１２】図１２は、一実施形態に係る基地局の全体構成の一例を示す図である。
【図１３】図１３は、一実施形態に係る基地局の機能構成の一例を示す図である。
【図１４】図１４は、一実施形態に係るユーザ端末の全体構成の一例を示す図である。
【図１５】図１５は、一実施形態に係るユーザ端末の機能構成の一例を示す図である。
【図１６】図１６は、一実施形態に係る基地局及びユーザ端末のハードウェア構成の一例を示す図である。
【発明を実施するための形態】
【００１２】
ＮＲにおいては、ＵＥは、所定の参照信号（又は、当該参照信号用のリソース）を用いてチャネル状態を測定する。チャネル状態測定用の参照信号は、ＣＳＩ−ＲＳ（Channel  State  Information-Reference  Signal）などと呼ばれてもよい。なお、ＵＥは、ＣＳＩ−ＲＳ以外の信号（例えば、同期信号／ブロードキャストチャネル（ＳＳ／ＰＢＣＨ：Synchronization  Signal/Physical  Broadcast Channel）ブロック、同期信号、復調用参照信号など）を用いてチャネル状態を測定してもよい。
【００１３】
ＣＳＩ−ＲＳリソースは、ノンゼロパワー（ＮＺＰ：Non  Zero  Power）ＣＳＩ−ＲＳ及びＣＳＩ−ＩＭ（Interference  Management）の少なくとも１つを含んでもよい。また、ＳＳ／ＰＢＣＨブロックは、プライマリ同期信号（ＰＳＳ：Primary  Synchronization  Signal）、セカンダリ同期信号（ＳＳＳ：Secondary  Synchronization  Signal）及びＰＢＣＨを含むブロックであり、ＳＳブロックなどと呼ばれてもよい。
【００１４】
ＵＥは、参照信号などの測定結果に基づいて、所定のタイミングで、チャネル状態情報（ＣＳＩ）を基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）にフィードバック（報告）する。
【００１５】
なお、ＣＳＩは、チャネル品質識別子（ＣＱＩ：Channel  Quality  Indicator）、プリコーディング行列識別子（ＰＭＩ：Precoding  Matrix  Indicator）、ＣＳＩ−ＲＳリソース識別子（ＣＲＩ：CSI-RS  Resource  Indicator）、ＳＳ／ＰＢＣＨブロックリソース識別子（ＳＳＢＲＩ：SS/PBCH  Block  Indicator）、レイヤ識別子（ＬＩ：Layer  Indicator）、ランク識別子（ＲＩ：Rank  Indicator）、Ｌ１−ＲＳＲＰ（レイヤ１における参照信号受信電力（Layer  1  Reference  Signal  Received  Power））などの少なくとも１つを含んでもよい。
【００１６】
ＣＳＩは、複数のパートを有してもよい。ＣＳＩの第１パート（ＣＳＩパート１）は、相対的にビット数の少ない情報（例えば、ＲＩ）を含んでもよい。ＣＳＩの第２パート（ＣＳＩパート２）は、ＣＳＩパート１に基づいて定まる情報などの、相対的にビット数の多い情報（例えば、ＣＱＩ）を含んでもよい。
【００１７】
ＣＳＩのフィードバック方法としては、（１）周期的なＣＳＩ（Ｐ−ＣＳＩ：Periodic  CSI）報告、（２）非周期的なＣＳＩ（Ａ−ＣＳＩ：Aperiodic  CSI）報告、（３）半永続的（半持続的、セミパーシステント（Semi-Persistent））なＣＳＩ報告（ＳＰ−ＣＳＩ：Semi-Persistent  CSI）報告などが検討されている。
【００１８】
ＵＥは、Ｐ−ＣＳＩ、ＳＰ−ＣＳＩ及びＡ−ＣＳＩの少なくとも１つのＣＳＩの報告用のリソースに関する情報（ＣＳＩ報告設定情報とよばれてもよい）を、上位レイヤシグナリング、物理レイヤシグナリング（例えば、下り制御情報（ＤＣＩ：Downlink  Control  Information））又はこれらの組み合わせを用いて通知されてもよい。
【００１９】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２０】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２１】
ＣＳＩ報告設定情報（CSI-ReportConfig）は、例えば、報告周期、オフセットなどに関する情報を含んでもよく、これらは所定の時間単位（スロット単位、サブフレーム単位、シンボル単位など）で表現されてもよい。ＣＳＩ報告設定情報は、設定ＩＤ（CSI-ReportConfigId）を含んでもよく、当該設定ＩＤによってＣＳＩ報告方法の種類（ＳＰ−ＣＳＩか否か、など）、報告周期などのパラメータが特定されてもよい。ＣＳＩ報告設定情報は、どの参照信号（又は、どの参照信号用のリソース）を用いて測定されたＣＳＩを報告するかを示す情報（CSI-ResourceConfigId）を含んでもよい。
【００２２】
複数のＣＳＩタイプは、利用用途（又は通信機能）に応じて設定されてもよい。例えば、シングルビームを利用した通信を行うために設定されるＣＳＩタイプ（タイプ１（type  I）  ＣＳＩとも呼ぶ）と、マルチビームを利用した通信を行うために設定されるＣＳＩタイプ（タイプ２（type  II）  ＣＳＩとも呼ぶ）を定義してもよい。もちろん、ＣＳＩタイプの利用用途はこれに限られない。
【００２３】
ＵＥ及び基地局は、シングルビームを利用した粗い接続（coarse  link）を維持するためにタイプ１−ＣＳＩを利用してもよい。また、ＵＥ及び基地局は、マルチビーム（例えば、複数レイヤ）を利用した接続を行うためにタイプ２−ＣＳＩを利用してもよい。例えば、タイプ２−ＣＳＩは、レイヤ毎の情報（又は、ビーム番号等のビーム関連情報）が含まれる構成としてもよい。
【００２４】
また、タイプ２−ＣＳＩの情報種別（ＣＳＩパラメータ）のうち一部のＣＳＩパラメータのみを報告するように制御してもよい。一部の情報種別を含むＣＳＩを部分タイプ２−ＣＳＩ（partial  Type  2  CSI）と呼んでもよい。
【００２５】
ＵＥはタイプ１−ＣＳＩを上り制御チャネルを利用して送信する場合、例えば、ＲＩ及び／又はＣＲＩ（CSI-RS  resource  indicator）と、ＰＭＩと、ＣＱＩと、をＣＳＩパラメータとして報告する。なお、ＰＭＩとして、ワイドバンド且つフィードバック期間が長いＰＭＩ１と、サブバンド且つフィードバック期間が短いＰＭＩ２が含まれていてもよい。なおＰＭＩ１はベクトルＷ１の選択に利用され、ＰＭＩ２はベクトルＷ２の選択に利用され、Ｗ１とＷ２に基づいてプリコーダＷが決定される（Ｗ＝Ｗ１＊Ｗ２）。
【００２６】
また、ＵＥが部分タイプ２−ＣＳＩを上り制御チャネルを利用して送信する場合、例えば、ＲＩと、ＣＱＩと、レイヤ毎のノンゼロワイドバンド振幅係数の番号（number  of  non-zero  wideband  amplitude  coefficients  per  layer）と、をＣＳＩパラメータとして報告する。ノンゼロワイドバンド振幅係数の番号は、振幅がゼロにスケールされないビーム番号に相当する。この場合、振幅がゼロ（またはゼロ相当とみなせる所定のしきい値以下またはしきい値未満）となるビームの情報は送信しなくてよいため、ノンゼロワイドバンド振幅係数の番号を送信することによりＰＭＩのオーバーヘッドを低減できる。
【００２７】
タイプ２−ＣＳＩフィードバックは、大きいオーバーヘッドをもたらすため、タイプ２−ＣＳＩフィードバックに対するオーバーヘッド計算が必要となる。図１に示すように、サポートされるランクが高くなるほど、ビームの組み合わせの数が多くなるほど、オーバーヘッド（負値の絶対値）は大きくなる。
【００２８】
そのため、タイプ２−ＣＳＩフィードバックのオーバーヘッドを削減することが検討されている。
【００２９】
ＭＵ（Multi-User）−ＭＩＭＯ（Multi-Input Multi-Output）を拡張するにあたって、性能及びオーバーヘッドの間のトレードオフを考慮し、タイプ２−ＣＳＩフィードバックにおけるオーバーヘッドを削減することが検討されている。また、ＭＵ−ＭＩＭＯを拡張するにあたって、タイプ２−ＣＳＩフィードバックを、２よりも大きいランクまで拡張することが検討されている。
【００３０】
既存のサブバンドＣＳＩ報告においては、サブバンドＣＳＩ報告が設定されると、全てのサブバンドに対してＣＳＩパラメータが報告されるため、高いオーバーヘッドをもたらす。
【００３１】
そこで、本発明者らは、サブバンドに対するＣＳＩ報告に対して、設定及び報告の少なくとも１つにおけるオーバヘッドの増大を抑える方法及びシグナリングの設計を着想した。
【００３２】
以下、本開示に係る実施形態について、図面を参照して詳細に説明する。各実施形態に係る無線通信方法は、それぞれ単独で適用されてもよいし、組み合わせて適用されてもよい。
【００３３】
以下の説明において、ＣＳＩ報告は、ＣＳＩ測定及びＣＳＩ報告の少なくとも１つと読み替えられてもよい。
【００３４】
ＵＥは、ＣＳＩオーバーヘッドの削減のために、複数のサブバンドの一部に対するＣＳＩ報告を行う部分（partial）サブバンドＣＳＩ報告（部分サブバンドＣＳＩ報告）を行ってもよい。
【００３５】
図２Ａに示すように、ＵＥは、連続する複数のサブバンドの一部を用いて、ＣＳＩ報告（ＣＳＩ測定）を行う。複数のサブバンドは、バンド、コンポーネントキャリア（ＣＣ）、ＢＷＰ（BandWidth  Part、部分帯域）などを構成してもよい。各サブバンドは、所定数のＲＢ（Resource  Block）であってもよい。ここでは、サブバンド＃０〜＃ｎ−１のうち、サブバンド＃０、＃２、＃ｎ−１がＣＳＩ報告用に選択される。
【００３６】
図２Ｂは、部分サブバンドＣＳＩ報告手順の概要を示す。ｇＮＢ（基地局、ｅＮＢ、ネットワークなど）は、Ｓ１０において、部分サブバンドＣＳＩ設定を行い、Ｓ２０において、チャネル状態測定用の参照信号（Reference  Signal：ＲＳ、同期信号など）を送信する。ＵＥは、部分サブバンドＣＳＩ設定に基づいてＣＳＩ測定を行い、Ｓ３０において、部分サブバンドＣＳＩ報告によってＣＳＩパラメータを送信する。ｇＮＢは、受信されたＣＳＩパラメータに基づいて、ＣＳＩ再構築を行うことによって、ＣＳＩを取得する。
【００３７】
部分サブバンドＣＳＩ報告をサポートするためには、シグナリングの設計が必要となる。また、ＣＳＩ報告用のサブバンドをＵＥ及びｇＮＢのいずれが選択するのか、どのサブバンドが選択されるのか、サブバンドの選択をどのように指示するのか、部分サブバンドＣＳＩ報告におけるＵＥ動作、などが必要になる。
【００３８】
部分サブバンドＣＳＩ報告の適用に対し、次のオプション１、２のいずれかが用いられてもよい。
【００３９】
＜オプション１＞
常に部分サブバンドＣＳＩ報告が適用される。
【００４０】
＜オプション２＞
部分サブバンドＣＳＩ報告は設定された場合に適用される。ＵＥがＲＲＣシグナリング又はブロードキャスト情報によって部分サブバンドＣＳＩ報告を設定される場合、ＵＥは、部分サブバンドＣＳＩ報告を適用してもよい。ＵＥがＲＲＣシグナリング又はブロードキャスト情報によって部分サブバンドＣＳＩ報告を設定されない場合、ＵＥは、部分サブバンドＣＳＩ報告を適用しなくてもよい。この場合、ＵＥは、フルバンドＣＳＩフィードバックを適用してもよい。すなわち、ＵＥは、ＣＳＩオーバーヘッドの削減を適用しなくてもよい。
【００４１】
＜態様１＞
態様１では、サブバンドの選択方法について説明する。
【００４２】
ＵＥ及びｇＮＢの少なくとも１つが次の態様１−１〜１−３のいずれかに従ってもよい。
【００４３】
《態様１−１》
ｇＮＢがＣＳＩ報告用のサブバンド（特定サブバンド）を選択（決定）してもよい。ｇＮＢは、選択されたサブバンドを示す情報（設定情報）をＵＥへ通知してもよい。
【００４４】
ｇＮＢは、次の態様１−１−１〜１−１−３のいずれかに従ってもよい。
【００４５】
＜＜態様１−１−１＞＞
ｇＮＢは、予め規定されたサブバンドパターンによってＣＳＩ報告用のサブバンドを選択してもよい。ｇＮＢは、予め規定された少なくとも１つのサブバンドパターンから、１つのサブバンドパターンを選択してもよい。サブバンドパターンは、複数のサブバンドのうち、ＣＳＩ報告用の幾つかのサブバンドを示してもよい。
【００４６】
サブバンドパターンは、仕様において規定されてもよい。Ｎ個のサブバンドパターンが規定されてもよい。各サブバンドパターンは、Ｍ個の各サブバンドがＣＳＩ報告に用いられるか否かを示してもよい。
【００４７】
図３Ａに示すように、Ｓ１０において、ｇＮＢは、部分サブバンドＣＳＩ取得の設定を示すＣＳＩ報告設定情報（部分サブバンドＣＳＩ報告設定情報）をＵＥに設定してもよい。部分サブバンドＣＳＩ報告設定情報は、部分サブバンドＣＳＩ取得の設定を示す上位レイヤパラメータ（部分サブバンドＣＳＩ指示パラメータ、partial_subband_CSI）を含むＣＳＩ報告設定情報（CSI-ReportConfig）であってもよい。
【００４８】
もし１つのサブバンドパターンだけが予め規定される場合、ＵＥは、当該サブバンドパターンに示された固定のサブバンドをＣＳＩ報告に用いてもよい。
【００４９】
もし１よりも多いサブバンドパターンが予め規定される場合、ｇＮＢは、追加シグナリング（サブバンドパターン指示パラメータ、識別情報）によって１つのサブバンドパターンをＵＥに設定してもよい。サブバンドパターン指示パラメータは、サブバンドパターンインデックス（ＩＤ）を示してもよい。
【００５０】
サブバンドパターン指示パラメータは、ＲＲＣシグナリングと、ＭＡＣ  ＣＥと、ＤＣＩと、の少なくとも１つによって通知されてもよい。
【００５１】
ｇＮＢは、ＲＲＣシグナリングによってサブバンドパターン指示パラメータを通知してもよい。この場合、新ＲＲＣパラメータとして、サブバンドパターン指示パラメータ（subband_pattern）が導入されてもよい。サブバンドパターン指示パラメータが、部分サブバンドＣＳＩ設定情報に含まれてもよい。
【００５２】
ｇＮＢは、ＤＣＩによってサブバンドパターン指示パラメータを通知してもよい。この場合、既存のＤＣＩフィールドがサブバンドパターンの通知に再利用されてもよい。既存のＤＣＩフィールドは、ＣＳＩアクティベーション／ディアクティベーションフィールド、ＣＳＩ要求フィールド、などであってもよい。サブバンドパターンの通知のための新ＤＣＩフィールドが導入されてもよい。
【００５３】
図３Ｂでは、Ｎが８、Ｍが８である場合を示す。８個のサブバンドパターンが予め規定される場合、サブバンドパターン指示パラメータは、３ビット（"000"〜"111"）であってもよい。例えば、図３Ｂに示すように、ｇＮＢがサブバンドパターン１を選択した場合、サブバンドパターン指示パラメータとして"000"をＵＥに設定してもよい。
【００５４】
サブバンドパターン１において、ＣＳＩ報告に用いられるサブバンドの密度が１／２であってもよく、８個のサブバンドのうち４個のサブバンドがＣＳＩ報告に用いられてもよい。ここで、ＣＳＩ報告に用いられるサブバンドと、ＣＳＩ報告に用いられないサブバンドと、が交互に位置してもよい。サブバンドパターン２において、ＣＳＩ報告に用いられるサブバンドの密度が１／３であってもよい。ここで、ＣＳＩ報告に用いられない２個のサブバンドと、ＣＳＩ報告に用いられる１個のサブバンドと、が交互に位置してもよい。サブバンドパターン２の密度は、全サブバンド数とＣＳＩ報告用サブバンド数とから、１／４と表されてもよい。サブバンドパターン８において、ＣＳＩ報告に用いられるサブバンドの密度が１／２であってもよく、８個のサブバンドのうち４個のサブバンドがＣＳＩ報告に用いられてもよい。ここで、ＣＳＩ報告に用いられる２個のサブバンドと、ＣＳＩ報告に用いられない２個のサブバンドと、が交互に位置してもよい。
【００５５】
Ｓ３０において、ＵＥは、サブバンドパターン指示パラメータに示されたサブバンドに対してＣＳＩ報告を行う。
【００５６】
この態様１−１−１によれば、ｇＮＢがサブバンドパターンのインデックスをＵＥへ通知することによって、ＣＳＩ報告用のサブバンドの通知においてオーバーヘッドを抑えることができる。また、ＵＥからｇＮＢへＣＳＩ報告用のサブバンドを報告する必要がない。
【００５７】
＜＜態様１−１−２＞＞
ｇＮＢは、サブバンドの比によって、ＣＳＩ報告用のサブバンドを選択してもよい。ｇＮＢは、予め規定された少なくとも１つの比から、１つの比を選択してもよい。
【００５８】
ｇＮＢは、複数のサブバンドにおいて、ＣＳＩ報告用サブバンドの開始点を示すパラメータ（starting_subband）と、ＣＳＩ報告用サブバンドに関する比（密度、量）を示すパラメータ（ratio（density））と、ＣＳＩ報告用サブバンドの連続数と、の少なくとも１つを含むシグナリング（サブバンド指示パラメータ）によって、ＣＳＩ報告用のサブバンドをＵＥに設定してもよい。
【００５９】
比は、（ＣＳＩ報告用サブバンド数）／（全サブバンド数）であってもよいし、（ＣＳＩ報告に用いられないサブバンド数）／（ＣＳＩ報告用サブバンド数）であってもよい。（ＣＳＩ報告に用いられないサブバンド数）／（ＣＳＩ報告用サブバンド数）がＰである場合、（ＣＳＩ報告用サブバンド数）／（全サブバンド数）は１／（１＋Ｐ）で表される。比を示すパラメータは、比が所定値以上であるか否かを示してもよい。所定値は１／２であってもよい。比は、ＣＳＩ報告に用いられないサブバンド数、及びＣＳＩ報告用サブバンド数の少なくとも１つの数（量）を示してもよい。
【００６０】
開始点が（例えば、サブバンド＃０に）固定されることによって、サブバンド指示パラメータは開始点を含まなくてもよい。開始点から、１個の選択されたサブバンドと、Ｐ個の選択されないサブバンドと、が交互に位置する場合、サブバンド指示パラメータは連続数を含まなくてもよい。
【００６１】
サブバンド指示パラメータは、ＲＲＣシグナリングと、ＭＡＣ  ＣＥと、ＤＣＩと、の少なくとも１つによって通知されてもよい。サブバンド指示パラメータは、部分サブバンドＣＳＩ設定情報に含まれてもよいし、別のシグナリングによってＵＥへ通知されてもよい。
【００６２】
図４Ａに示すように、Ｓ１０において、ｇＮＢは、サブバンド指示パラメータをＵＥに設定してもよい。
【００６３】
図４Ｂでは、サブバンド指示パラメータが開始点と比（（ＣＳＩ報告用サブバンド数）／（全サブバンド数））とを含む。開始点が０であり比が１／２であるサブバンド指示パラメータは、サブバンドパターン１に対応する。開始点が０であり比が１／３であるサブバンド指示パラメータは、サブバンドパターン２に対応する。
【００６４】
また、サブバンド指示パラメータが開始点、比、連続数を含んでもよい。例えば、開始点が０であり比が１／２であり、連続数が２であるサブバンド指示パラメータが、サブバンドパターン８に対応してもよい。
【００６５】
この態様１−１−２によれば、ｇＮＢがサブバンドの比又は密度をＵＥへ通知することによって、ＣＳＩ報告用のサブバンドの通知においてオーバーヘッドを抑えることができる。また、ＵＥからｇＮＢへＣＳＩ報告用のサブバンドを報告する必要がない。
【００６６】
＜＜態様１−１−３＞＞
ｇＮＢは、シグナリングによって柔軟にサブバンドを選択してもよい。
【００６７】
ｇＮＢは、サブバンド選択用のシグナリングとして、幾つかのサブバンドを指定するサブバンド選択パラメータ（subband_selection）を送信することによって、ＣＳＩ報告用のサブバンドをＵＥに設定してもよい。
【００６８】
サブバンド選択パラメータは、ＲＲＣシグナリングと、ＭＡＣ  ＣＥと、ＤＣＩと、の少なくとも１つによって通知されてもよい。ＲＲＣシグナリングは、部分サブバンドＣＳＩ報告設定情報に含まれてもよい。サブバンド選択パラメータは、部分サブバンドＣＳＩ設定情報に含まれてもよいし、別のシグナリングによってＵＥへ通知されてもよい。
【００６９】
図５Ａに示すように、Ｓ１０において、ｇＮＢは、サブバンド選択パラメータをＵＥに設定してもよい。
【００７０】
サブバンド選択パラメータは、サブバンド数のビット長を有するビットマップであってもよい。各ビットは、対応するサブバンドが選択されたか否か（ＣＳＩ報告に用いられるか否か、特定サブバンドに含まれるか否か）を示してもよい。
【００７１】
例えば、サブバンド数が８である場合、サブバンド選択パラメータは８ビットである。サブバンド選択パラメータが"10101010"を示す場合、図５Ｂに示すサブバンドパターンがＵＥに設定される。ここで、"1"は対応するサブバンドが選択されたことを示し、"0"は対応するサブバンドが選択されないことを示す。
【００７２】
この態様１−１−２によれば、ｇＮＢがＣＳＩ報告用の各サブバンドをＵＥへ通知することによって、ＣＳＩ報告用のサブバンドを柔軟に設定できる。ｇＮＢは、状況に合わせてＣＳＩ報告用のサブバンドを柔軟に設定することによって、部分サブバンドＣＳＩ報告の精度を高めることができる。また、ＵＥからｇＮＢへＣＳＩ報告用のサブバンドを報告する必要がない。
【００７３】
《態様１−２》
ＵＥがＣＳＩ報告用のサブバンド（特定サブバンド）を選択（決定）してもよい。ＵＥは、選択されたサブバンドを示す情報（報告情報）をｇＮＢへ送信してもよい。
【００７４】
ＵＥは、所定のルールに従って、ＣＳＩ報告用のサブバンドを選択してもよい。ＵＥは、ＣＳＩ報告用のサブバンドを明示的に通知されなくてもよい。ＵＥは、ｇＮＢからの受信によって得られるパラメータに基づいて、ＣＳＩ報告用のサブバンドを選択してもよい。
【００７５】
ＵＥ及びｇＮＢは、次の態様１−２−１、１−２−２のいずれかに従ってもよい。
【００７６】
＜＜態様１−２−１＞＞
ＵＥは、予め規定された少なくとも１つのサブバンドパターンから１つのサブバンドパターンを選択し、選択されたサブバンドパターンをｇＮＢへ報告してもよい。選択されたサブバンドパターンを示す新ＣＳＩパラメータ（例えば、サブバンドインジケータ、subband_indicator（ＳＩ）、識別情報）が導入されてもよい。サブバンドインジケータは、サブバンドパターンのインデックス（ＩＤ）を示してもよい。
【００７７】
図６Ａに示すように、Ｓ１０において、ｇＮＢは、部分サブバンドＣＳＩ報告設定情報をＵＥに設定してもよい。
【００７８】
その後、ＵＥは、１つのサブバンドパターンを選択してもよい。Ｓ３０において、ＵＥは、選択されたサブバンドパターンを示すサブバンドインジケータをｇＮＢへ報告してもよい。
【００７９】
もし１つのサブバンドパターンのみが予め規定される場合、ＵＥは、サブバンドパターンを選択する必要がない（サブバンドインジケータを報告する必要がない）。ＵＥは、当該サブバンドパターンに示された固定のサブバンドをＣＳＩ報告に用いてもよい。
【００８０】
もし１よりも多いサブバンドパターンが予め規定される場合、ＵＥは、サブバンドパターンを選択する必要がある。８個のサブバンドパターンが予め規定される場合、サブバンドインジケータは、３ビット（"000"〜"111"）であってもよい。例えば、図６Ｂに示すように、ＵＥがサブバンドパターン１を選択した場合、ＵＥはサブバンドインジケータとして"000"を報告してもよい。
【００８１】
なお、サブバンドインジケータは、態様１−１−２のサブバンド指示パラメータと同様に、ＣＳＩ報告用のサブバンドの開始点を示すパラメータ（starting_subband）と、ＣＳＩ報告用サブバンドの比又は密度を示すパラメータ（ratio又はdensity）と、の少なくとも１つを含んでもよい。
【００８２】
この態様１−２−１によれば、ｇＮＢからＵＥへＣＳＩ報告用のサブバンドを通知する必要がない。また、ＵＥは選択されたサブバンドの報告において、オーバーヘッドを抑えることができる。
【００８３】
なお、サブバンドインジケータが、態様１−１−２のサブバンド指示パラメータと同様、ＵＥによって選択されたＣＳＩ報告用サブバンドの開始点を示すパラメータと、ＣＳＩ報告用サブバンドに関する比（密度、量）を示すパラメータと、ＣＳＩ報告用サブバンドの連続数と、の少なくとも１つを含んでもよい。
【００８４】
＜＜態様１−２−２＞＞
ＵＥは、ＣＳＩパラメータによって、サブバンドを柔軟に選択し、選択されたサブバンドパターンをｇＮＢへ報告してもよい。選択されたサブバンドを示す新ＣＳＩパラメータ（例えば、サブバンドインジケータ、subband_indicator（ＳＩ））が導入されてもよい。サブバンドインジケータは、各サブバンドに対応するビットを有するビットマップであってもよい。各ビットは、対応するサブバンドが選択されたか否かを示してもよい。
【００８５】
図７Ａに示すように、Ｓ１０において、ｇＮＢは、部分サブバンドＣＳＩ取得の設定を示す部分サブバンドＣＳＩ設定をＵＥに設定してもよい。
【００８６】
その後、ＵＥは、ＣＳＩ報告用の少なくとも１つのサブバンドを選択してもよい。Ｓ３０において、ＵＥは、選択されたサブバンドを示すサブバンドインジケータをｇＮＢに報告してもよい。
【００８７】
ＵＥは、全てのサブバンドの中から、ＣＳＩ報告用のサブバンドを選択してもよい。サブバンドインジケータは、サブバンド数のビット長を有するビットマップであってもよい。各ビットは、対応するサブバンドが選択されたか否か（ＣＳＩ報告に用いられるか否か、特定サブバンドに含まれるか否か）を示してもよい。例えば、８個のサブバンドを示すサブバンドインジケータが"10101010"である場合、図７Ｂに示すサブバンドパターンがＵＥに設定される。ここで、"1"は対応するサブバンドが選択されたことを示し、"0"は対応するサブバンドが選択されないことを示す。
【００８８】
この態様１−２−２によれば、ＵＥがＣＳＩ報告用の各サブバンドを選択することによって、ＣＳＩ報告用のサブバンドを柔軟に選択できる。ＵＥは、状況に合わせてＣＳＩ報告用のサブバンドを柔軟に選択することによって、部分サブバンドＣＳＩ報告の精度を高めることができる。また、ｇＮＢからＵＥへＣＳＩ報告用のサブバンドを通知する必要がない。
【００８９】
《態様１−３》
ｇＮＢによるサブバンドの選択（態様１−１）と、ＵＥによるサブバンドの選択（態様１−２）と、が組み合わせられてもよい。
【００９０】
ｇＮＢは、予め規定された複数のサブバンドパターンから、少なくとも１つのサブバンドパターンの候補を選択（決定）してもよい。ｇＮＢは、サブバンドパターンリスト（複数サブバンドパターン指示パラメータ、multiple_subband_patterns）によって少なくとも１つのサブバンドパターンの候補をＵＥに設定してもよい。サブバンドパターンリストは、少なくとも１つのサブバンドパターンのインデックスを示してもよい。
【００９１】
サブバンドパターンリストは、ＲＲＣシグナリングと、ＭＡＣ  ＣＥと、ＤＣＩと、の少なくとも１つによって通知されてもよい。サブバンドパターンリストは、部分サブバンドＣＳＩ設定情報に含まれてもよいし、別のシグナリングによってＵＥへ通知されてもよい。
【００９２】
ＵＥは、設定されたサブバンドパターン（サブバンドパターンリストに示されたサブバンドパターンの候補）から、１つのサブバンドパターンを選択（決定）し、選択されたサブバンドパターンをｇＮＢへ報告してもよい。選択されたサブバンドパターンを示す新ＣＳＩパラメータ（例えば、サブバンドインジケータ、subband_indicator（ＳＩ））が導入されてもよい。サブバンドインジケータは、選択されたサブバンドパターンのインデックスを示してもよい。
【００９３】
図８Ａに示すように、Ｓ１０において、ｇＮＢは、サブバンドパターンリストをＵＥに設定してもよい。
【００９４】
ＵＥは、設定されたサブバンドパターンから１つのサブバンドパターンを選択してもよい。Ｓ３０において、ＵＥは、選択されたサブバンドパターンを示すサブバンドインジケータをｇＮＢへ報告してもよい。
【００９５】
もし１つのサブバンドパターンのみがＵＥに設定される場合、ＵＥは、サブバンドパターンを選択する必要がない（サブバンドインジケータを報告する必要がない）。ＵＥは、当該サブバンドパターンに示された固定のサブバンドをＣＳＩ報告に用いてもよい。
【００９６】
もし１よりも多いサブバンドパターンがＵＥに設定される場合、ＵＥは、サブバンドパターンを選択する必要がある。８個のサブバンドパターンがＵＥに設定される場合、サブバンドインジケータは、３ビットであってもよい。例えば、図８Ｂに示すように、サブバンドインジケータ"000"がサブバンドパターン１を示してもよい。
【００９７】
態様１−３によれば、ｇＮＢがサブバンドパターンを限定し、ＵＥが限定されたサブバンドパターンから１つを選択するため、サブバンドを柔軟に設定できる。また、ｇＮＢがサブバンドパターンを限定するため、ｇＮＢからＵＥへのサブバンドパターンの通知のオーバーヘッドを抑えることができる。また、ＵＥが限定されたサブバンドパターンから１つを選択するため、ＵＥからｇＮＢへのサブバンドパターンの通知のオーバーヘッドを抑えることができる。
【００９８】
《ＵＥ動作》
態様１−１、１−２に対する部分サブバンドＣＳＩ報告のＵＥ動作について説明する。
【００９９】
態様１−１において、もしＵＥが、ＣＳＩ報告設定情報（上位レイヤパラメータCSI-ReportConfig）を設定され、且つＣＳＩ報告設定情報が、サブバンドパターン指示パラメータ（subband_pattern）、開始点を示すパラメータ（starting_subband）、比を示すパラメータ（ratio又はdensity）、の少なくとも１つを含む場合、ＵＥは、ＣＳＩ報告設定情報によって設定されたサブバンドのみに対するＣＳＩパラメータを報告してもよい。
【０１００】
態様１−２、１−３において、もしＵＥが、ＣＳＩ報告設定情報を設定され、且つＣＳＩ報告設定情報が、部分サブバンドＣＳＩ指示パラメータ（partial_subband_CSI）、サブバンドパターンリスト（multiple_subband_patterns）、の少なくとも１つを含む場合、ＵＥは、サブバンドを選択し、選択されたサブバンドをＣＳＩパラメータ（サブバンドインジケータ、subband_indicator）によって報告してもよい。ＵＥは、選択されたサブバンドのみに対するＣＳＩパラメータを報告してもよい。
【０１０１】
このＵＥ動作によれば、ＵＥは、上位レイヤパラメータに基づいて、部分サブバンドＣＳＩ報告を適切に行うことができる。
【０１０２】
＜態様２＞
態様２では、部分サブバンドＣＳＩ報告のためのＣＳＩパラメータ符号化方式について説明する。
【０１０３】
態様１−２、１−３に対し、部分サブバンドＣＳＩ報告は、新ＣＳＩパラメータとして、サブバンドインジケータ（subband_indicator：ＳＩ）を含んでもよい。
【０１０４】
ＣＳＩ報告のオーバーヘッドを相対的に固定するため、またＳＩが重要であるため、１つのＣＳＩ報告パケット内の複数のＣＳＩパラメータにおいて、ＳＩは、パディングビットよりも前に位置してもよい。
【０１０５】
ＣＳＩパラメータの順序は、図９に示すように、例１−１〜１−４のいずれかであってもよい。
【０１０６】
（例１−１）
・ＳＩ、ＣＲＩ、ＲＩ、ＬＩ、パディングビット、ＰＭＩ、ＣＱＩ
【０１０７】
（例１−２）
・ＣＲＩ、ＳＩ、ＲＩ、ＬＩ、パディングビット、ＰＭＩ、ＣＱＩ
【０１０８】
（例１−３）
・ＣＲＩ、ＲＩ、ＳＩ、ＬＩ、パディングビット、ＰＭＩ、ＣＱＩ
【０１０９】
（例１−４）
・ＣＲＩ、ＲＩ、ＬＩ、ＳＩ、パディングビット、ＰＭＩ、ＣＱＩ
【０１１０】
２つのＣＳＩ報告パケット内の複数のＣＳＩパラメータにおいて、ＳＩは、ＣＲＩ、ＲＩ、ＬＩの少なくとも１つと結合されて符号化されてもよい。
【０１１１】
２つのＣＳＩ報告パケットのうち、パケット１は、ＳＩ、ＣＲＩ、ＲＩ、ＬＩの少なくとも１つを含んでもよく、パケット２は、ＰＭＩ、ＣＱＩの少なくとも１つを含んでもよい。
【０１１２】
ＣＳＩパラメータの順序は、図１０に示すように、例２−１〜２−４のいずれかであってもよい。パケット１において、ＳＩは、例２−１〜例２−３のように、ＣＲＩ、ＲＩ、ＬＩの少なくとも１つよりも前に位置してもよいし、例２−４のように、ＣＲＩ、ＲＩ、ＬＩよりも後に位置してもよい。
【０１１３】
（例２−１）
・パケット１＝ＳＩ、ＣＲＩ、ＲＩ、ＬＩ
・パケット２＝ＰＭＩ、ＣＱＩ
【０１１４】
（例２−２）
・パケット１＝ＣＲＩ、ＳＩ、ＲＩ、ＬＩ
・パケット２＝ＰＭＩ、ＣＱＩ
【０１１５】
（例２−３）
・パケット１＝ＣＲＩ、ＲＩ、ＳＩ、ＬＩ
・パケット２＝ＰＭＩ、ＣＱＩ
【０１１６】
（例２−４）
・パケット１＝ＣＲＩ、ＲＩ、ＬＩ、ＳＩ
・パケット２＝ＰＭＩ、ＣＱＩ
【０１１７】
この態様２によれば、ＵＥは、選択されたＳＩを報告できる。ｇＮＢは、ＳＩ及び他のＣＳＩパラメータを適切に復号できる。
【０１１８】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１９】
図１１は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【０１２０】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２１】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２２】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１２３】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１２４】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【０１２５】
ニューメロロジーとは、ある信号又はチャネルの送信及び受信の少なくとも一方に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１２６】
例えば、ある物理チャネルについて、構成するＯＦＤＭシンボルのサブキャリア間隔及びＯＦＤＭシンボル数の少なくとも一方が異なる場合には、ニューメロロジーが異なると称されてもよい。
【０１２７】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１２８】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１２９】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１３０】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３１】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【０１３２】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３３】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３４】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【０１３５】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３６】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１３７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３８】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３９】
（基地局）
図１２は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４０】
下りリンクによって基地局１０からユーザ端末２０に送信されるユーザデータは、上位局装置３０から伝送路インターフェース１０６を介してベースバンド信号処理部１０４に入力される。
【０１４１】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４２】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１４５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１４６】
なお、送受信部１０３は、チャネル状態情報（ＣＳＩ：Channel  State  Information）のための測定（又は測定報告又は報告）に関する設定情報（例えば、ＲＲＣのCSI-MeasConfig情報要素（ＩＥ：Information  Element）、CSI-ResourceConfig  ＩＥ、CSI-ReportConfig  ＩＥなどの少なくとも１つ）をユーザ端末２０に送信してもよい。送受信部１０３は、ユーザ端末２０から送信されたＣＳＩを受信してもよい。
【０１４７】
また、送受信部１０３は、少なくとも１つの設定情報（チャネル状態情報（ＣＳＩ：Channel  State  Information）のための測定（又は測定報告又は報告）に関する設定情報（例えば、ＲＲＣのCSI-MeasConfig情報要素（ＩＥ：Information  Element）、CSI-ResourceConfig  ＩＥ、CSI-ReportConfig  ＩＥなどの少なくとも１つ））をユーザ端末２０へ送信してもよい。
【０１４８】
また、送受信部１０３は、複数のサブバンドの一部である少なくとも１つの特定サブバンドに対するＣＳＩ報告を受信してもよい。
【０１４９】
図１３は、一実施形態に係る基地局の機能構成の一例を示す図である。なお、本例では、本実施形態における特徴部分の機能ブロックを主に示しており、基地局１０は、無線通信に必要な他の機能ブロックも有すると想定されてもよい。
【０１５０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１５１】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１５２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５３】
制御部３０１は、システム情報、下りデータ信号（例えば、下り共有チャネルを用いて送信される信号）、下り制御信号（例えば、下り制御チャネルを用いて送信される信号）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５４】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５５】
制御部３０１は、上りデータ信号（例えば、上り共有チャネルを用いて送信される信号）、上り制御信号（例えば、上り制御チャネルを用いて送信される信号）、ランダムアクセスプリアンブル、上り参照信号などのスケジューリングを制御する。
【０１５６】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５７】
送信信号生成部３０２は、例えば、制御部３０１からの指示に基づいて、下りデータの割り当て情報を通知するＤＬアサインメント及び上りデータの割り当て情報を通知するＵＬグラントの少なくとも一方を生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１５８】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１５９】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１６０】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び受信処理後の信号の少なくとも一方を、測定部３０５に出力する。
【０１６１】
測定部３０５は、受信した信号に関する測定を実施する。測定部３０５は、本開示に係る技術分野での共通認識に基づいて説明される測定器、測定回路又は測定装置から構成することができる。
【０１６２】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６３】
また、制御部３０１は、前記特定サブバンドを示す設定情報の送信と、前記特定サブバンドを示す報告情報の受信と、の少なくとも１つを行ってもよい。
【０１６４】
（ユーザ端末）
図１４は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６５】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６６】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６８】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１６９】
また、送受信部２０３は、少なくとも１つの設定情報（チャネル状態情報（ＣＳＩ：Channel  State  Information）のための測定（又は測定報告又は報告）に関する設定情報（例えば、ＲＲＣのCSI-MeasConfig情報要素（ＩＥ：Information  Element）、CSI-ResourceConfig  ＩＥ、CSI-ReportConfig  ＩＥなどの少なくとも１つ））を受信してもよい。測定部４０５は、設定情報に基づいて測定を行ってもよい。
【０１７０】
また、送受信部２０３は、複数のサブバンドの一部である少なくとも１つの特定サブバンド（ＣＳＩ報告用サブバンド、選択されたサブバンド）に対するＣＳＩ報告を送信してもよい。
【０１７１】
図１５は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１７２】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７３】
制御部４０１は、ユーザ端末２０全体の制御を実施する。制御部４０１は、本開示に係る技術分野での共通認識に基づいて説明されるコントローラ、制御回路又は制御装置から構成することができる。
【０１７４】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７５】
制御部４０１は、基地局１０から送信された下り制御信号、下りデータ信号などを、受信信号処理部４０４から取得する。制御部４０１は、下りデータ信号に対する再送制御の要否を判定した結果、下り制御信号などに基づいて、上り制御信号、上りデータ信号などの生成を制御する。
【０１７６】
制御部４０１は、基地局１０から通知された各種情報を受信信号処理部４０４から取得した場合、当該情報に基づいて制御に用いるパラメータを更新してもよい。
【０１７７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１７８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１７９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８０】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び受信処理後の信号の少なくとも一方を、測定部４０５に出力する。
【０１８２】
測定部４０５は、受信した信号に関する測定を実施する。測定部４０５は、本開示に係る技術分野での共通認識に基づいて説明される測定器、測定回路又は測定装置から構成することができる。測定部４０５は、本開示における受信部の少なくとも一部を構成してもよい。
【０１８３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１８４】
また、制御部４０１は、前記特定サブバンドを示す設定情報（部分サブバンドＣＳＩ報告設定情報）の受信と、前記特定サブバンドを示す報告情報（ＣＳＩパラメータ、サブバンドインジケータ）の送信と、の少なくとも１つを行ってもよい。
【０１８５】
また、前記設定情報は、前記特定サブバンドの複数のパターンの１つを示す識別情報（サブバンドパターン指示パラメータ）と、前記特定サブバンドの量（サブバンド指示パラメータ）と、前記複数のサブバンドのそれぞれが前記特定サブバンドに含まれるか否か（サブバンド選択パラメータ）と、の少なくとも１つを示してもよい。
【０１８６】
また、前記ＣＳＩ報告は、前記報告情報を含んでもよい。
【０１８７】
また、前記報告情報は、前記特定サブバンドのパターンを示す識別情報と、前記特定サブバンドの量と、前記複数のサブバンドのそれぞれが前記特定サブバンドに含まれるか否かと、の少なくとも１つを示してもよい。
【０１８８】
また、前記設定情報は、前記特定サブバンドの少なくとも１つの候補を示す候補識別情報（サブバンドパターンリスト）を含んでもよい。前記制御部４０１は、前記候補識別情報に示された前記少なくとも１つの候補から、前記特定サブバンドを決定してもよい。前記報告情報は、前記特定サブバンドのパターンを示す識別情報（サブバンドインジケータ）を含んでもよい。
【０１８９】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９０】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１９１】
例えば、本開示の一実施形態における基地局、ユーザ端末などは、本開示の無線通信方法の処理を行うコンピュータとして機能してもよい。図１６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９２】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１９３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１９４】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１９８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２００】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０２】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０３】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２０５】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２０７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２０８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２０９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１０】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２１４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１９】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２０】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２１】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２３】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２４】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２６】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２８】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２３４】
本開示において使用する「システム」及び「ネットワーク」という用語は、互換的に使用され得る。
【０２３５】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２３６】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２３８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２３９】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４０】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２４１】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４２】
同様に、本開示におけるユーザ端末は、基地局で読み替えてもよい。この場合、上述のユーザ端末２０が有する機能を基地局１０が有する構成としてもよい。
【０２４３】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４４】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４５】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２４８】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２４９】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５０】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５１】
また、「判断（決定）」は、「想定する（assuming）」、「期待する（expecting）」、「みなす（considering）」などで読み替えられてもよい。
【０２５２】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２５３】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５４】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５６】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５７】
本開示において、例えば、英語でのa、an及びtheのように、翻訳によって冠詞が追加された場合、本開示は、これらの冠詞の後に続く名詞が複数形であることを含んでもよい。
【０２５８】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020012620.tif 000003
【図２】
2020012620.tif 000004
【図３】
2020012620.tif 000005
【図４】
2020012620.tif 000006
【図５】
2020012620.tif 000007
【図６】
2020012620.tif 000008
【図７】
2020012620.tif 000009
【図８】
2020012620.tif 000010
【図９】
2020012620.tif 000011
【図１０】
2020012620.tif 000012
【図１１】
2020012620.tif 000013
【図１２】
2020012620.tif 000014
【図１３】
2020012620.tif 000015
【図１４】
2020012620.tif 000016
【図１５】
2020012620.tif 000017
【図１６】
2020012620.tif 000018
【国際調査報告】
2020012620.tif 000019
2020012620.tif 000020
2020012620.tif 000021